【事件の表示】
　特願２０００−１４３３３６「ディジタルビデオディスクプレーヤ」拒絶査定不服審判事件〔平成１３年１１月２２日出願公開、特開２００１−３２５７６６〕について、次のとおり審決する。
【結　論】
　本件審判の請求は、成り立たない。
【理　由】
１．手続の経緯・本願発明
　本願は、２０００年５月１６日に出願した特願２０００−１４３３３６号であって、その請求項１に係る発明（以下、「本願発明」という。）は、平成１３年１０月２３日付け、平成１６年５月１１日付け手続補正書により補正された明細書の特許請求の範囲の請求項１に記載された次のとおりのものである。（平成１３年１２月２８日付け手続補正は補正却下された。）
　
「１層の記録面を有するディジタルビデオディスク、２層の記録面を有するディジタルビデオディスク及びコンパクトディスクの３種類の記録媒体を読み取り可能なディジタルビデオディスクプレーヤであって、
　記録媒体の記録面にレーザ光を照射し、その反射光を検出して電気信号に変換する光学ピックアップと、
　前記電気信号に所定の処理を施し、映像及び／又は音声信号に変換する信号処理手段と、
　前記記録媒体の種類に応じて設定された前記記録媒体と前記光学ピックアップとの位置関係、前記光学ピックアップの径方向への移動用モータおよび前記記録媒体の回転用モータの各々の回転速度などのパラメータに基づき駆動されるサーボ制御手段と、
　装着された前記記録媒体の種類を特定する判定手段とを備え、
　前記判定手段は、
　前記記録媒体が装着されたときに、前記光学ピックアップの出力から検出した記録面の数及び反射率に基づいて装着されている記録媒体の種類を推定する推定部と、
　その推定した種類の記録媒体に対応する前記パラメータを前記サーボ制御手段に設定して前記サーボ制御手段を駆動しながら、前記記録媒体からのデータの読み取りを試行し、
その読み取り試行の結果が読み取り可能であれば、前記記録媒体の種類を設定したパラメータに対応するものであると特定し、前記読み取り試行の結果が読み取り不能であれば、
前記サーボ制御手段のパラメータを他の種類の前記各記録媒体の前記パラメータに順次変更して設定し、その設定ごとに上記読み取りの試行を繰り返して、読み取り可能となった時点で前記記録媒体の種類を特定する特定部とからなり、
　前記推定部によりまず最初に記録面の数から２層ディジタルビデオディスクかそれ以外の記録媒体であるかを推定し、２層ディジタルビデオディスクであると推定すると、前記特定部はまず最初に２層ディジタルビデオディスクに対応するパラメータをサーボ制御手段に設定して読み取りを試行する一方、
　前記推定部により記録面の数から２層ディジタルビデオディスク以外の記録媒体であると推定すると、次に、反射率から１層ディジタルビデオディスクかコンパクトディスクのいずれであるかを推定し、１層ディジタルビデオディスクであると推定すると、前記特定部はまず最初に１層ディジタルビデオディスクに対応するパラメータをサーボ制御手段に設定して読み取りを試行する一方、コンパクトディスクであると推定すると、前記特定部はまず最初にコンパクトディスクに対応するパラメータをサーボ制御手段に設定して読み取りを試行することを特徴とするディジタルビデオディスクプレーヤ。」
　
２．引用例の発明
　これに対して、当審における拒絶の理由で引用された、特開平１１−１９１２６４号公報（以下「引用例１」という。）、及び特開２０００−６７５０８号公報（以下、「引用例２」という。）には、それぞれ、図面と共に次の事項が記載されている。
　引用例１：特開平１１−１９１２６４号公報
「【請求項１】  基盤厚みや情報面の数の異なる光ディスクを再生するための光ディスク装置において、フォーカスエラー信号の合焦点付近の波形のピークおよびボトムの数と当該フォーカスエラー信号の振幅とによって当該光ディスクの種類を判別する手段を備えた光ディスク装置。」（【特許請求の範囲】）
「【０００６】
　【発明が解決しようとする課題】従来のディスク判別装置は、フォーカスコイルのほぼ合焦点付近において上記コイルに流れる電流に基づいて光ディスクの判別を行った場合は、光ディスクの面振れの影響を受けやすいといった問題点がある。また、対物レンズの移動量を計測して光ディスクの判別を行う方法も、アクチュエータの感度が変われば駆動電流が変化したり移動速度が異なるため、計測された移動量に誤差が生じて光ディスクの判定を誤ることがあるという問題点があった。また、フォーカスエラー信号を使うようなシステムを用いた場合、光ディスクの反射率やレーザパワーの変動によって光ディスクの判定を誤るといった問題点があった。
　【０００７】この発明は、上述のような課題を解決するためになされたもので、光ディスクの面振れや、光ディスクの反射率の相違およびレーザパワーの変動があっても正確に光ディスクの種類の判別を行うことができるディスク判別装置を得ることを目的とする。
　【０００８】
　【課題を解決するための手段】この発明に係る光ディスク装置は、フォーカスエラー信号の合焦点付近の波形のピークおよびボトムの数と当該フォーカスエラー信号の振幅とによって当該光ディスクの種類を判別する手段を備えたものである。」
「【００１３】
　【発明の実施の形態】以下、この発明をその実施の形態を示す図面に基づいて具体的に説明する。
実施の形態１．図１は、光ディスク装置における光ピックアップのレンズ開口数（ＮＡ）を０．６としたときのそれぞれ異なる光ディスクのフォーカスエラー信号の波形を示す図で、１は１層ＤＶＤを用いたときのフォーカスエラー信号、２は２層ＤＶＤを用いたときのフォーカスエラー信号、３はＣＤを用いたときのフォーカスエラー信号である。図１より、１層ＤＶＤのフォーカスエラー信号は振幅が大きく、波形のピークとボトムが１回ずつ出力されていることを特徴とする。また、２層ＤＶＤのフォーカスエラー信号は、１層ＤＶＤと比較して振幅が小さく、波形のピークとボトムが２回ずつ出力されているのが特徴である。さらに、ＣＤのフォーカスエラー信号はレンズ開口数が０．６の場合は３に示すような振幅が小さく、ピークとボトムが明瞭でない波形が出力される。
　【００１４】図２は、ツインレンズ光ピックアップの構成を示す図である。したもので、図において、４はＣＤ用対物レンズ（ＮＡ＝０．４５）、５はＤＶＤ用対物レンズ（ＮＡ＝０．６）、６は中心軸、７はアクチュエータ、８はトラッキングコイル、９はフォーカスコイル、１０はミラー、１１はレーザダイオード、１２はハーフミラー、１３は光検知器である。図においてレーザダイオード１１から出力されたレーザはハーフミラー１２によってミラー１０へと運ばれ、ＤＶＤ用対物レンズ５を通って光ディスクへと照射される。光ディスクから反射されたレーザは元の順路を通って、光検知器１３に入力される構成となっている。上述したように、ＤＶＤとＣＤではその記録信号のピットサイズならびに、光ディスク表面から記録層までの厚みが異なるため、ＤＶＤとＣＤの互換再生を行うには、それぞれの光ディスクに応じて、レーザ光の焦点位置やスポット径を変える必要がある。そこで、軸摺動回動方式を用いることでＣＤ用対物レンズ４とＤＶＤ用対物レンズ５の切り替えを行う。このツインレンズ光ピックアップはアクチュエータ７が中心軸６に沿ってフォーカスコイル９により上下動し、トラッキングコイル８により中心軸６に対して回動する構成となっている。
　【００１５】図３は、光ピックアップのレーザーパワーのばらつきを考慮した、フォーカスエラー信号の振幅の分布を示す図である。図において、１４はＣＤを用いたときのフォーカスエラー信号の振幅の分布、１５は１層ＤＶＤを用いたときのフォーカスエラー信号の振幅の分布、１６は２層ＤＶＤを用いたときのフォーカスエラー信号の振幅の分布を示す。図に示すように、１層ＤＶＤと２層ＤＶＤのフォーカスエラー信号の振幅の分布に重なる部分があるため、振幅情報だけでは正確な光ディスク判別を行うことができないことがわかる。
　【００１６】図４は、実施の形態１の光ディスク装置におけるディスク判別装置の構成を示す図で、図において、１７は振幅検出回路、１８は山の数計数回路、１９は判別回路、２０はレンズキック回路、２１はサーボパラメータ変更回路、２２はサーボゲインアップ切替回路、２３はトラッキングアクチュエータドライバ、２４はトラッキングアクチュエータを示す。
　【００１７】次に動作について説明する。光ピックアップから得られたフォーカスエラー信号が振幅検出回路１７と山の数計数回路１８に入力される。振幅検出回路１７はフォーカスエラー信号のピーク値とボトム値の電位差を検出する。さらに山の数計数回路１８はフォーカスエラー信号のピークとボトムの数を計数し、例えば入力されたフォーカスエラー信号の波形のピークとボトムがそれぞれ１回ずつの場合は、山の数を１回と計数して出力する。
　【００１８】判別回路１９は、振幅検出回路１７と山の数計数回路１８からの出力信号をもとに図１に示したようにそれぞれの光ディスクのフォーカスエラー信号の特徴を検出してＣＤかＤＶＤかを判別し、その判別信号をレンズキック回路２０に送り、トラッキングアクチュエータドライバ２３を用いて、トラッキングアクチュエータ２４を駆動してＣＤ用対物レンズ４またはＤＶＤ用対物レンズ５に切り換える。また、ＣＤか１層ＤＶＤか２層ＤＶＤかを判別し、サーボパラメータ変更回路２１において、それぞれの光ディスクに最適なサーボパラメータに変更することができる。」
「【００３８】図１２は前記実施の形態１〜４におけるディスク判別動作のフローチャートである。このディスク判別動作は、光ディスクの種類の判別動作を行う前に、ディスク判別動作の最初に行われるディスクモータ起動時に光ディスク起動から指定速度に達するまでの時間を計測して光ディスクの種類を判別するものである。
　【００３９】図１２において、まず、ステップ１で得られるディスク判別処理部からの信号を基にステップ２においてディスクの判別動作を行うとき光ディスク起動から指定速度に達するまでの時間を計測する。このとき任意の設定時間ａ（ｍｓ）未満のときは光ディスクが未装着であると判定する。また、光ディスク起動から指定速度に達するまでの時間が任意の設定時間ａ（ｍｓ）以上であったときは、ステップ３にてスピンドルモータの制御電圧が任意の設定電圧ｄ（ｖ）以上になるまでの時間を測定し、任意の設定時間ｂ（ｍｓ）未満の場合はステップ４にてサイズの小さい光ディスク（例えば８ｃｍＣＤ等）と判別し、ｂ（ｍｓ）以上の場合はさらなる判別を行う。
　【００４０】ここで光ディスクのサイズを判別した後、ステップ５にてフォーカスエラー信号の振幅のピーク値とボトム値を加算して半分にした値を算出し、この値が任意の設定電圧ｃ（ｍｖ）未満であったときはステップ７にて山の数検出を行い、山の数が１以下であった場合はＣＤと判定し、山の数が２以上であった場合は２層ＤＶＤと判定する。また、フォーカスエラー信号の振幅のピーク値とボトム値を加算して半分にした値が任意の設定電圧ｃ（ｍｖ）以上であったときはステップ６にて山の数検出を行い、山の数が１以下の場合は１層ＤＶＤと判定し、山の数が２以上の場合は１層ＤＶＤと判定する。以上のような構成とすることで例えば８ｃｍＣＤ、ＣＤ、１層ＤＶＤ、２層ＤＶＤのディスク判別を正確に行うことが可能となった。」
　
　以上の記載及び図面から、刊行物１には、光ディスク装置におけるディスク判別装置であって、ディスクモータ起動時に、光ディスクの未装着又は光ディスクのサイズを判別した後、ＣＤ、１層ＤＶＤ、２層ＤＶＤの判別を行う点に関して、
「 基盤厚みや情報面の数の異なる光ディスク（ＣＤ、１層ＤＶＤ、２層ＤＶＤ）を再生するための光ディスク装置において、
　光ピックアップと、
　装着された光ディスクの種類を判別する判別手段を備え、
　フォーカスエラー信号の合焦点付近の波形のピークおよびボトムの数と当該フォーカスエラー信号の振幅とによって当該光ディスクの種類を判別する手段を備えた光ディスク装置。」の発明が記載されていると認められる（以下、「刊行物１の発明」という。）。　
　
　引用例２：特開２０００−６７５０８号公報
「【００３５】図１は本発明の技術が適用された光ディスクシステムの一実施態様を示す。
　【００３６】同図において、１は光ディスク記録媒体であって、この場合はＤＶＤまたはＣＤである。
　【００３７】２はスピンドルモータであって、媒体１を所定の線速度となるように回転駆動する。３は光ピックアップであって、媒体１の記録トラックから光学的に情報を読み出す。４１はＲＦ（高周波）信号処理回路であって、光ピックアップ３からの読出信号に対して信号レベル正規化および２値化など予備処理を行う。
　【００３８】４２はＤＶＤ復調処理部であって、ＤＶＤ信号の復調および誤り訂正などを行う。４３はＣＤ復調処理部であって、ＣＤ信号の復調および誤り訂正などを行う。
　【００３９】４４はシステム制御部であって、システム全体の動作およびデータの流れなどを集中的に管理して制御する。このシステム制御部４４は、他の部分（４２，４３など）と共に、マイクロ回路化された汎用情報処理システムいわゆるシングルチップ・マイクロコンピュータを用いて構成される。
　【００４０】４５はインタフェイス部であって、ＤＶＤ復調処理部４２またはＣＤ復調処理部４３にて復調されたデータをそのまま、あるいは必要に応じてＤ／Ａ変換した後、外部へ出力する。
　【００４１】４６は不揮発性メモリであって、ＥＥＰ−ＲＯＭ（電気的に消去および書込が可能な読出専用メモリ）あるいはリチウムイオン電池などで電源バックアップされたＳＲＡＭなどを用いて構成され、その書き替えはシステム制御部４４によって行われる。この不揮発性メモリ４６には、後述するが、システムに装填された媒体の種別などを記憶する。
　【００４２】５はサーボ回路であって、ＤＶＤ復調処理部４２またはＣＤ復調処理部４３での復調処理が誤りなく行える方向にスピンドルモータ２および光ピックアップ３をそれぞれにサーボー制御する。
　【００４３】６はディスク挿入検出部であって、光ディスク記録媒体１がシステムに装填されているか否かを検出する。
　【００４４】図２は、図１に示した光ディスクシステムの概略構成をその動作フローチャートで示したものである。
　【００４５】同図において、まず、システムが電源投入により起動されると、媒体１の装填を待つ待機状態に入る（Ｓ１）。
　【００４６】媒体１がシステムに装填されると、不揮発性メモリ４６の記憶内容に基づいて、その装填された媒体１の種別を予測する。すなわち、不揮発性メモリ４６には、前回に装填されてアクセス処理された媒体の種別が記憶（登録）されている。この記憶されている前回アクセス媒体の種別に基づいて、今回装填された媒体の種別を予測する。この場合、前回アクセス媒体がＤＶＤであったならば今回装填の媒体はそのＤＶＤであると予測し、ＣＤであったならば今回装填の媒体はＣＤであると予測する（Ｓ２，Ｓ３）。
　【００４７】予測の結果がＤＶＤであったならば、光ピックアップ２のモードをＤＶＤに切替設定するなどの媒体モード設定を行って、そのＤＶＤモードによるアクセス試行を実施する（Ｓ４）。
　【００４８】ＤＶＤモードによるアクセス試行が成功したならば、そのＤＶＤモードによる読出アクセス処理に移行する（Ｓ４１、Ｓ４２）。
　【００４９】ユーザーの指令操作に基づくアクセス処理のあと、ユーザーによる媒体１の排出操作が行われたならば、アクセス試行およびアクセス処理した媒体１の種別がＤＶＤであったことを不揮発性メモリ４６に記憶させて最初の待機状態に戻る（Ｓ４３，Ｓ４４，Ｓ４１）。
　【００５０】ここで、ＤＶＤの予測を受けて行ったＤＶＤモードによるアクセス試行（リトライ）が失敗に終わった場合は、ＣＤモードによるアクセス試行を実施する（Ｓ４５）。
　【００５１】そして、このＣＤモードのアクセス試行が成功したならば、ＣＤモードによるアクセス処理に移行する（Ｓ４６，Ｓ５２）。」
「【００６０】上述の構成により、ＤＶＤモードとＣＤモードの両アクセス試行のいずれかを先に実施させるに際し、その実施順をシステムの使用状況に応じてシステムごとに自動的に最適化させることができる。
　【００６１】つまり、ＤＶＤの使用頻度が高い使用状況下では、そのＤＶＤのモードによるアクセス試行を優先させることにより、時間のかかるアクセス試行（リトライ）をＤＶＤモードとＣＤモードとで２回行う無駄の発生確率を大幅に減らすことができる。反対に、ＣＤの使用頻度が高い使用状況下では、そのＣＤのモードによるアクセス試行を優先させることにより、この場合も、時間のかかるアクセス試行（リトライ）をＣＤモードとＤＶＤモードとで２回行う無駄の発生確率を大幅に減らすことができる。
　【００６２】これにより、既存のＣＤおよびＤＶＤに識別マークを付加するといったような面倒を強いることなく、比較的簡単なシステム構成だけでもって、ＤＶＤとＣＤの両媒体に対するアクセス処理への平均待ち時間を大幅に短縮させるという目的が達成される。
　【００６３】さらに、上述した装置では、システムに装填された媒体１の種別の頻度を演算する学習手段を設け、この学習手段の学習内容に基づいて新規に装填された媒体の種別を予測させることにより、その予測の確度すなわち最初の１回目のアクセス試行が成功する確率をさらに高めることが可能である。学習手段と媒体予測手段は、上述の場合と同様、マイクロコンピュータによるシステム制御部４４にソフトウェア的に組み込んで構成することができる。」
　
３　対比・判断　
　本願発明と刊行物１の発明を対比すると、
　刊行物１の発明の「１層ＤＶＤ」「２層ＤＶＤ」「ＣＤ」は、本願発明の「１層の記録面を有するディジタルビデオディスク」「２層の記録面を有するディジタルビデオディスク」「コンパクトディスク」に相当し、
　刊行物１の発明の「光ディスク装置」は、本願発明の「デジタルビデオディスクプレーヤ」に相当し、
　刊行物１の発明の「光ピックアップ」は、本願発明の「光学ピックアップ」に相当し、
　この刊行物１の発明の光ディスクが装着されたときの「フォーカスエラー信号の合焦点付近の波形のピークおよびボトムの数」と「当該フォーカスエラー信号の振幅」を判定した結果なされる「ディスクの判別」は、本願発明の記録媒体が装着されたときに、「光学ピックアップの出力から検出した記録面の数及び反射率」より、記録媒体の種類を推定する「推定する推定部」に対応する。
　　　
　以上、対比を総合すると、両者は、以下の発明で一致する。　
 「１層の記録面を有するディジタルビデオディスク、２層の記録面を有するディジタルビデオディスク及びコンパクトディスクの３種類の記録媒体を読み取り可能なディジタルビデオディスクプレーヤであって、
　記録媒体の記録面にレーザ光を照射し、その反射光を検出して電気信号に変換する光学ピックアップと、
　前記記録媒体が装着されたときに、前記光学ピックアップの出力から検出した記録面の数及び反射率に基づいて装着されている記録媒体の種類を推定する推定部からなるディジタルビデオディスクプレーヤ。」
　
　そして、以下の点で相違する。　
　相違点　
  １．本願発明のディジタルビデオディスクプレーヤは、前記電気信号に所定の処理を施し、映像及び／又は音声信号に変換する信号処理手段と、　前記記録媒体の種類に応じて設定された前記記録媒体と前記光学ピックアップとの位置関係、前記光学ピックアップの径方向への移動用モータおよび前記記録媒体の回転用モータの各々の回転速度などのパラメータに基づき駆動されるサーボ制御手段とを備えるのに対して、刊行物１の発明には、このような信号処理手段とサーボ制御手段とを備えることについての記載がない点。
　２．本願発明では、装着された前記記録媒体の種類を特定する判定手段が、推定部が推定した種類の記録媒体に対応する前記パラメータを前記サーボ制御手段に設定して前記サーボ制御手段を駆動しながら、前記記録媒体からのデータの読み取りを試行し、その読み取り試行の結果が読み取り可能であれば、前記記録媒体の種類を設定したパラメータに対応するものであると特定し、前記読み取り試行の結果が読み取り不能であれば、前記サーボ制御手段のパラメータを他の種類の前記各記録媒体の前記パラメータに順次変更して設定し、その設定ごとに上記読み取りの試行を繰り返して、読み取り可能となった時点で前記記録媒体の種類を特定する特定部を有し、特定部は、２層ディジタルビデオディスクであると推定すると、前記特定部はまず最初に２層ディジタルビデオディスクに対応するパラメータをサーボ制御手段に設定して読み取りを試行する一方、１層ディジタルビデオディスクであると推定すると、前記特定部はまず最初に１層ディジタルビデオディスクに対応するパラメータをサーボ制御手段に設定して読み取りを試行する一方、コンパクトディスクであると推定すると、前記特定部はまず最初にコンパクトディスクに対応するパラメータをサーボ制御手段に設定して読み取りを試行するのに対して、刊行物１の発明では、このような特定部を備えた記録媒体の種類を特定する判定手段を備えていない点。
　３．ディスクの種類を推定する順番が、本願発明では、まず最初に記録面の数から２層ディジタルビデオディスクかそれ以外の記録媒体であるかを推定し、前記推定部により記録面の数から２層ディジタルビデオディスク以外の記録媒体であると推定すると、次に、反射率から１層ディジタルビデオディスクかコンパクトディスクのいずれであるかを推定するのに対して、刊行物１の発明は、フォーカスエラー信号の振幅のピーク値とボトム値を加算して半分にした値を算出し、この値が任意の設定電圧ｃ（ｍｖ）未満か以上かで２つにわけて、次に「山の数」でＣＤか２層ＤＶＤ、または１層ＤＶＤか２層ＤＶＤを推定する点。
　
　次に、上記相違点について検討する。
相違点１　
　刊行物２の「ＤＶＤ復調処理部４２」及び「ＣＤ復調処理部４３」が本願発明の「信号処理手段」、刊行物２の「サーボ回路５」が、本願発明の「サーボ制御手段」に、また、２層ＤＶＤ、１層ＤＶＤおよびＣＤを再生するための信号処理手段とサーボ制御手段を備えたデジタルディスクプレーヤは周知（特開平９−３２０１８０号公報、特開平１０−７４３５６号公報等）であり、刊行物１の発明において、映像及び／又は音声信号に変換する信号処理手段と、前記記録媒体の種類に応じて設定された前記記録媒体と前記光学ピックアップとの位置関係、前記光学ピックアップの径方向への移動用モータおよび前記記録媒体の回転用モータの各々の回転速度などのパラメータに基づき駆動されるサーボ制御手段を備え、２層ＤＶＤ、１層ＤＶＤおよびＣＤから情報を読み取るディジタルビデオディスクプレーヤとすることは、当業者が容易に推考できることと認められる。　
　
相違点２　
　不揮発性メモリの記憶の内容に基づいて媒体の種別を予測し、その予測のもとに、アクセス試行をしてアクセス試行が成功したならば、その成功したモードにより読出に移行するという、予測とアクセス試行の２段階で光ディスクを判別する光ディスクシステムが刊行物２に記載されている。このアクセス試行は、ＣＤモード及びＤＶＤモードであるから、ＣＤに対応するパラメータ及びＤＶＤに対応するパラメータによるサーボ制御手段に設定した読み取りであることは明かであり、本願発明の「試行」に相当する。刊行物１の発明において、ディスクの種類の判別を正確にするため、ディスクの種類を推定する推定部と、アクセス試行を繰り返す試行部を組合せ、２段階でのディスク判別を実行する構成とすることは、当業者が容易に推考できたことと認められる。なお、実際に１層ＤＶＤ、２層ＤＶＤ、ＣＤが装着されるものにおいて、対応するパラメータをサーボ制御手段に設定してアクセス試行がなされることはいうまでもない。
　
相違点３　
　３種類のディスクの種類を推定するための手順について、フォーカスエラー信号の数による判別を先にするか、同信号のレベルによる判別を先にするかは、当業者が適宜変更しうる程度の設計事項にすぎないものでと認められるが、例えば、相違点１に例示した周知例の特開平９−３２０１８０号公報には、「【００７４】（２）  フォーカスエラー信号のレベルで比較した後、フォーカスエラー信号のＳカーブで比較する。【００７５】この場合の各ディスクの判別手順を図１９に示す。図１９に示すように、フォーカスエラー信号ＦＥのレベルを参照するとまずＤＶＤ−Ｓと、ＤＶＤ−ＤおよびＣＤとＣＤ−ＲおよびＣＤ−Ｒの３つのグループに分かれる。このように判別した後、フォーカスエラー信号ＦＥのＳカーブの数を比較することにより、ＤＶＤ−ＤとＣＤとの判別が可能になる。【００７６】なお、上記実施形態を逆にして、フォーカスエラー信号のＳカーブの数で比較を行なってからフォーカスエラー信号のレベルで比較してもよい。」と、まず最初にフォーカスエラー信号のＳカーブの数の比較からディスクを判別する手順が記載されており、唯一２個のＳカーブが生じずるＤＶＤ−Ｄ（２層ＤＶＤ）がまず最初に判別される判別手段が周知であるから、刊行物１の発明においても、まず最初に判別するディスクをＳカーブの数が２個である２層ＤＶＤとすることは、当業者が容易に推考できることと認められる。
　
　なお、平成１６年５月１１日付け意見書において、「記録面の数の推定のみで即座に２層ディジタルビデオディスクの読み取り試行に移行できるため、記録媒体の判定をより迅速に行うことができる、といった特有の効果を奏するものですが、」と主張するが、前記周知例に記載されているように、２層ディジタルビデオディスクからディスクの種類を判別することで、当業者が当然に予測しえる程度の効果にすぎない。
　
４　むすび　
　以上のとおりであるから、本願発明は、刊行物１，２に記載された発明及び周知技術に基づいて、容易に発明をすることができたものであるから、特許法第２９条第２項の規定により、特許を受けることができない。　
　
  よって、結論のとおり審決する。